(57)【要約】【課題】  上部構造物と地盤改良杭の接合工法において、地盤改良杭の天端と上部構造物間の砕石層をジオテキスタイルで包括し、土のう形状とし砕石層の崩壊を防止する、上部構造物と地盤改良杭の接合工法を提供する。【解決手段】  上部構造物と地盤改良杭の接合工法において、地盤改良杭２の天端２Ａと上部構造物４間の砕石層３をジオテキスタイルで包括し、土のう形状の砕石層３とする。【選択図】  図１
2014005600.tif 000002
【特許請求の範囲】
【請求項１】
地盤改良杭の天端と上部構造物間の砕石層をジオテキスタイルで包括し、土のう形状の砕石層とすることを特徴とする上部構造物と地盤改良杭の接合工法。
【請求項２】
請求項１記載の上部構造物と地盤改良杭の接合工法において、前記土のう形状の砕石層の施工は、地盤改良杭の上部にジオテキスタイルを直角に重ねて敷設し、該敷設したジオテキスタイル上に土のうを設置し、該ジオテキスタイルの端部を折り返し、該ジオテキスタイル角部を結束し、該ジオテキスタイルの天端を固定することで行い、該ジオテキスタイル土のう天端に直接路盤コンクリートを打設することを特徴とする上部構造物と地盤改良杭の接合工法。
【請求項３】
請求項１又は２記載の上部構造物と地盤改良杭の接合工法において、前記上部構造物がコンクリート路盤であることを特徴とする上部構造物と地盤改良杭の接合工法。
【発明の詳細な説明】
【技術分野】
【０００１】
本発明は、ジオテキスタイル土のうを用いた上部構造物と地盤改良杭の接合工法に関するものである。
【背景技術】
【０００２】
従来、上部構造物と地盤改良杭の接合工法としては、図６に示すように、盛土１００内に地盤改良杭１０１を施工し、この地盤改良杭１０１の天端に砕石層１０２を敷設し、その上に上部構造物（コンクリート路盤）１０３の構築を行うようにしていた（下記特許文献１参照）。
【先行技術文献】
【特許文献】
【０００３】
【特許文献１】特開２０１１−２０２４２７号公報
【発明の概要】
【発明が解決しようとする課題】
【０００４】
しかしながら、かかるパイルスラブ式盛土においては、地盤改良杭１０１の天端と上部構造物１０３間には直接砕石層１０２が設けられるため、図７（ａ），（ｂ），（ｃ）に示すように、上部構造物１０３がコンクリート路盤である場合には列車荷重などによる経年的な繰返し鉛直荷重がかかったり、地震により地盤改良杭１０１周辺盛土・軟弱地盤が沈下したりすることで、天端の砕石層１０２の砕石１０２Ａのこぼれだしなど、砕石層１０２が崩壊し上部構造物１０３の変状（例えば、沈下１０３Ａ）が発生するという問題があった。
【０００５】
また、図８に示すように、地盤改良杭１０１が上部構造物１０３と結合している場合や、地盤改良杭１０１上に直接上部構造物１０３が構築されている場合には、地震時の上部構造物１０３の水平力による地盤改良杭１０１の損傷が懸念され、上部構造物１０３に対し鉛直力を保持しながら、水平力を極力作用させないような地盤改良杭１０１と上部構造物の接合構造が望まれている。
【０００６】
本発明は、上記状況に鑑みて、上部構造物と地盤改良杭の接合工法において、地盤改良杭の天端と上部構造物間の砕石層をジオテキスタイルで包括し、土のう形状とすることで砕石層の崩壊を防止する、上部構造物と地盤改良杭の接合工法を提供することを目的とする。
【課題を解決するための手段】
【０００７】
本発明は、上記目的を達成するために、
〔１〕上部構造物と地盤改良杭の接合工法において、地盤改良杭の天端と上部構造物間の砕石層をジオテキスタイルで包括し、土のう形状の砕石層とすることを特徴とする。
〔２〕上記〔１〕記載の上部構造物と地盤改良杭の接合工法において、前記土のう形状の砕石層の施工は、地盤改良杭の上部にジオテキスタイルを直角に重ねて敷設し、この敷設したジオテキスタイル上に土のうを設置し、このジオテキスタイルの端部を折り返し、このジオテキスタイル角部を結束し、このジオテキスタイルの天端を固定することで行い、このジオテキスタイル土のう天端に直接路盤コンクリートを打設することを特徴とする。
【０００８】
〔３〕上記〔１〕又は〔２〕記載の上部構造物と地盤改良杭の接合工法において、前記上部構造物がコンクリート路盤であることを特徴とする。
【発明の効果】
【０００９】
本発明によれば、次のような効果を奏することができる。
（１）地盤改良杭の天端と前記上部構造物間の砕石層をジオテキスタイルで包括し、土のう形状とすることにより、砕石層の崩壊を防止する。
（２）地盤改良杭の天端と前記上部構造物間の砕石層をジオテキスタイルで包括し、土のう形状とすることにより、上部構造物に対し、鉛直力は保持し、水平力の改良杭への伝達を低減する。
【図面の簡単な説明】
【００１０】
【図１】本発明の実施例を示す地盤改良杭の天端のジオテキスタイル土のう処理を示す断面図である。
【図２】図１のＡ−Ａ平面図である。
【図３】本発明に係るジオテキスタイル土のうに用いるジオテキスタイルの展開図である。
【図４】本発明に係るジオテキスタイル土のうの組み立て図である。
【図５】本発明のジオテキスタイル土のうによる地震時慣性力の地盤改良杭への影響の低減の様子を示す模式図である。
【図６】従来のパイルスラブ式盛土の地盤改良杭頭部の模式図である。
【図７】従来のパイルスラブ式盛土の地盤改良杭頭部の変状状態を示す模式図である。
【図８】従来のパイルスラブ式盛土の地盤改良杭頭部の地震時慣性力の地盤改良杭への影響の様子を示す模式図である。
【発明を実施するための形態】
【００１１】
本発明の上部構造物と地盤改良杭の接合工法は、地盤改良杭の天端と上部構造物間の砕石層をジオテキスタイルで包括し、土のう形状の砕石層とする。
【実施例】
【００１２】
以下、本発明の実施の形態について詳細に説明する。
図１は本発明の実施例を示す地盤改良杭の天端のジオテキスタイル土のう処理を示す断面図、図２は図１のＡ−Ａ平面図である。
これらの図に示すように、盛土１内に地盤改良杭２を施工し、この地盤改良杭２の天端２Ａにより上部構造物（コンクリート路盤）４を保持するジオテキスタイルで包括した土のう形状の砕石層（ジオテキスタイル土のう）３を施工する。
【００１３】
このように、砕石層が崩壊することで上部構造物に影響を与えやすい箇所である地盤改良杭２の天端２Ａにジオテキスタイル土のう３を施工することにより、砕石層の崩壊を防止する。
以下、そのジオテキスタイルで包括した土のう形状の砕石層の施工方法について説明する。
【００１４】
図３は本発明に係るジオテキスタイル土のうに用いるジオテキスタイルの展開図、図４はそのジオテキスタイル土のうの組み立て図である。
（１）ジオテキスタイル敷設
ジオテキスタイルを図３に示す形状に切断し、図４（ａ）に示すように、ジオテキスタイル１１（土のう用部材）を地盤改良杭の上部に直角に重ねて敷設する。
（２）土のうの設置
図４（ｂ）に示すように、敷設したジオテキスタイル１１上に土のう（ＲＲＲ用土のう）１２を設置する。
（３）ジオテキスタイルの折り返し端部処理
図４（ｃ）に示すように、ジオテキスタイル１１の端部を折り返し、角部を結束する。具体的には結束バンド１３による結束を行う。
（４）ジオテキスタイルの天端固定
図４（ｄ）に示すように、ジオテキスタイル１１天端面を仮止めピン１４、仮止めバンド１５で固定し、ジオテキスタイル土のう１６として施工される。
（５）路盤コンクリートの打設
ジオテキスタイル土のう天端に直接路盤コンクリートを打設する。
【００１５】
なお、形状、製作方法はこれに限定されるものではない。ジオテキスタイル土のうの大きさは、図１及び図２に示されるように地盤改良杭の面積と同等程度とする。
図５は本発明のジオテキスタイル土のうによる地震時慣性力の地盤改良杭への影響の低減の様子を示す模式図である。
図５において、盛土１内に地盤改良杭２を施工し、この地盤改良杭２により上部構造物（コンクリート路盤）４を保持するに、本発明のジオテキスタイルで包括した土のう形状の砕石層３を施工するようにしている。本発明によれば、図７に示したような地震時の地盤改良杭１０１周辺盛土・軟弱地盤の沈下に伴い、地盤改良杭１０１の天端の砕石層１０２が崩壊し、上部構造物１０３に変状（沈下等）が発生する問題を低減させることができる。また、図８に示すように、地盤改良杭１０１が上部構造物１０３と結合している場合や、地盤改良杭１０１上に直接上部構造物１０３が構築されている場合、地震時の上部構造物１０３の水平力は杭頭部にもかかるが、ジオテキスタイルによる砕石の巻き込みによりこの杭頭部水平力が低減されるので、地盤改良杭１０１の損傷が懸念されることもない。
【００１６】
なお、本発明は上記実施例に限定されるものではなく、本発明の趣旨に基づき種々の変形が可能であり、これらを本発明の範囲から排除するものではない。
【産業上の利用可能性】
【００１７】
本発明の上部構造物と地盤改良杭の接合工法は、地盤改良杭の天端と上部構造物間の砕石層をジオテキスタイルで包括し、土のう形状とすることで砕石層の崩壊を防止する、上部構造物と地盤改良杭の接合工法として利用可能である。
【符号の説明】
【００１８】
１    盛土
２    地盤改良杭
２Ａ    地盤改良杭の天端
３，１６    ジオテキスタイルで包括した土のう形状の砕石層（ジオテキスタイル土のう）
４    上部構造物（コンクリート路盤）
１１    ジオテキスタイル
１２    土のう（ＲＲＲ用土のう）
１３    結束バンド
１４    仮止めピン
１５    仮止めバンド
【図１】
2014005600.tif 000003
【図２】
2014005600.tif 000004
【図３】
2014005600.tif 000005
【図４】
2014005600.tif 000006
【図５】
2014005600.tif 000007
【図６】
2014005600.tif 000008
【図７】
2014005600.tif 000009
【図８】
2014005600.tif 000010